(57)【要約】      （修正有）【課題】携帯電話保護フィルムの貼り付け装置を提供する。【解決手段】貼り付け装置は、固定プラグ１と、制限ホルダ２と、右手の係止用溝３と、左手の係止用溝４と、立板と、圧板と、折り畳み式のヒンジとを含み、固定プラグ１は充電穴プラグの逆方向の構造であり、固定プラグ１の中央部は制限ホルダの上面の中央に固定的に取り付けられ、制限ホルダ２は円弧状の凹溝構造の形に配置され、圧板は折り畳み式のヒンジで制限ホルダ２の底面に固定的に取り付けられ、圧板の裏面の左側寄りに左手の係止用溝４が設けられ、圧板の右側寄りに右手の係止用溝３が設けられ、立板は圧板の前面に固定されて、圧板と一体構造になり、立板の上面と前面との接続部に円弧面取りが設けられる。【選択図】図１
0003225407.tif 000002
【実用新案登録請求の範囲】
【請求項１】
携帯電話保護フィルムの貼り付け装置であって、固定プラグ（１）と、制限ホルダ（２）と、右手の係止用溝（３）と、左手の係止用溝（４）と、立板（５）と、圧板（６）と、折り畳み式のヒンジ（７）とを含み、前記固定プラグ（１）は充電穴プラグの逆方向の構造であり、前記固定プラグ（１）の中央部は制限ホルダ（２）の上面の中央に固定的に取り付けられ、前記制限ホルダ（２）は円弧状の凹溝構造の形に配置され、前記圧板（６）は折り畳み式のヒンジ（７）で制限ホルダ（２）の底面に固定的に取り付けられ、前記圧板（６）の裏面の左側寄りに左手の係止用溝（４）が設けられ、前記圧板（６）の右側寄りに右手の係止用溝（３）が設けられ、前記立板（５）は圧板（６）の前面に固定されて、圧板（６）と一体構造になり、前記立板（５）の上面と前面との接続部に円弧面取りが設けられる、ことを特徴とする携帯電話保護フィルムの貼り付け装置。
【請求項２】
携帯電話の放置台（８）をさらに含み、前記携帯電話の放置台（８）の上面に長方形のボス（８１）が設けられ、前記携帯電話の放置台（８）はＬ字状の構造であり、前記携帯電話の放置台（８）に位置決めピン孔（８２）が設けられ、前記固定プラグ（１）はピン構造であり、且つ携帯電話の放置台（８）の位置決めピン孔（８２）に位置決めして取り付けられ、前記携帯電話の放置台（８）に第１の凹溝（８３）と第２の凹溝（８４）が設けられる、ことを特徴とする請求項１に記載の携帯電話保護フィルムの貼り付け装置。
【請求項３】
前記第１の凹溝（８３）及び第２の凹溝（８４）は、いずれも長方形の構造であり、且つ第１の凹溝（８３）と第２の凹溝（８４）とは連通している、ことを特徴とする請求項２に記載の携帯電話保護フィルムの貼り付け装置。
【請求項４】
前記携帯電話の放置台（８）と圧板６はプラスチック材料で製作されてなる、ことを特徴とする請求項１に記載の携帯電話保護フィルムの貼り付け装置。
【考案の詳細な説明】
【技術分野】
【０００１】
本考案は、フィルムの貼り付けの技術分野に属し、具体的には、携帯電話保護フィルムの貼り付け装置に関する。
【背景技術】
【０００２】
従来の携帯電話保護フィルムの貼り付けは、さまざまな仕様ツールを使用して手動で操作する。作業者の技術スキルに対する要求が非常に高く、気泡が発生しやすいため、フィルムの貼り付けの効果が低い。一方では、フィルムの貼り付けの効率が低いとともに、フィルムの貼り付け効果の均一性が低いため、フィルムの貼り付け効果の安定性が低い。
【考案の概要】
【考案が解決しようとする課題】
【０００３】
本考案が解決しようとする技術的課題は、上記の従来技術の欠点に対処し、簡単な構成で操作しやすく、人間工学設計を用いてその操作を人為的に高精度化し、コストが低く、フィルムの貼り付けの効果が安定して確実性が高く、且つ一貫性が高く、フィルムの貼り付けの効率が高く、作業者に対する要求が低い携帯電話のフィルムの貼り付け装置を提供することである。
【課題を解決するための手段】
【０００４】
上記技術的目的を達成するため、本考案は、以下の技術的解決手段を採用する。
【０００５】
携帯電話保護フィルムの貼り付け装置であって、固定プラグと、制限ホルダと、右手の係止用溝と、左手の係止用溝と、立板と、圧板と、折り畳み式のヒンジとを含み、前記固定プラグは充電穴プラグの逆方向の構造であり、前記固定プラグの中央部は制限ホルダの上面の中央に固定的に取り付けられ、前記制限ホルダは円弧状の凹溝構造の形に配置され、前記圧板は折り畳み式のヒンジで制限ホルダの底面に固定的に取り付けられ、前記圧板の裏面の左側寄りに左手の係止用溝が設けられ、前記圧板の右側寄りに右手の係止用溝が設けられ、前記立板は圧板の前面に固定されて、圧板と一体構造になり、前記立板の上面と前面との接続部に円弧面取りが設けられる。
【０００６】
上記技術的解決手段を最適化するために、さらに、採用した具体的な手段は、さらに、携帯電話の放置台を含み、
前記携帯電話の放置台の上面に長方形のボスが設けられ、前記携帯電話の放置台はＬ字状の構造であり、前記携帯電話の放置台に位置決めピン孔が設けられ、前記固定プラグはピン構造であり、且つ携帯電話の放置台の位置決めピン孔に位置決めして取り付けられ、前記携帯電話の放置台に第１の凹溝と第２の凹溝が設けられる。
【０００７】
上記第１の凹溝及び第２の凹溝は、いずれも長方形の構造であり、且つ前記第１の凹溝と前記第２の凹溝とは連通している。
【０００８】
上記携帯電話の放置台と圧板はプラスチック材料で製作されてなる。
【０００９】
本考案の携帯電話のフィルムの貼り付け装置は、ガラスフィルムを圧板の裏面に取り付け、固定プラグを充電穴と同じ形状に製作し、このとき固定プラグを携帯電話の充電インタフェースに位置決めして挿入すると同時に、制限ホルダの上面における円弧状の凹面が携帯電話の底面に係止され、続いて、立板を手に持って圧板を回転させて、圧板の裏面を上に向かせ、次に、ガラスフィルムにおける裏板を引き剥がして、立板を手に持って圧板を回転させて、圧板の裏面におけるガラスフィルムを携帯電話の画面に取り付け、ガラスフィルムを軽く押してから、ガラスフィルムにおける上部保護フィルムを引き剥がすが、このとき、ガラスフィルムにおける上部保護フィルムの上端がガラスフィルムから離れ、左右手の係止用溝を介して圧板を移動させて、圧板をガラスフィルムから離れ、携帯電話の充電インタフェースから固定プラグを引き抜けばよい。圧板に設けられた右手の係止用溝と左手の係止用溝は、ガラスフィルムの出し入れ作業や手作業を容易にし、圧板に設けられた立板は人間工学設計を用いて手作業を容易にする共に、遷移箇所をアール形状にして作業者の誤怪我を効果的に防止し、しかも、制限ホルダの上面における円弧状の凹溝を設けることにより、取り付け後の装置全体の安定性や信頼性を大幅に向上させ、ガタつきや位置ずれを効果的に回避し、フィルムの貼り付けの品質を向上させる。
【考案の効果】
【００１０】
本考案の利点は、構造が簡単で操作しやすく、人間工学設計を用いてその操作を人為的に高精度化し、コストが低く、フィルムの貼り付けの効果が安定して確実性が高く、且つ一貫性が高く、フィルムの貼り付けの効率が高く、作業者に対する要求が低いことである。
【図面の簡単な説明】
【００１１】
【図１】本考案の一実施例による構造の正面図である。
【図２】本考案の一実施例による構造の左側面図である。
【図３】本考案の一実施例による作業構造の概略図である。
【図４】本考案の別の一実施例による構造の正面図である。
【図５】本考案の別の一実施例による構造の左側面図である。
【図６】本考案の別の一実施例による携帯電話の放置台の概略構造図である。
【考案を実施するための形態】
【００１２】
以下、図面を結合して本考案の具体的な実施形態をさらに説明する。
【００１３】
携帯電話のフィルムの貼り付け装置であって、固定プラグ１と、制限ホルダ２と、右手の係止用溝３と、左手の係止用溝４と、立板５と、圧板６と、折り畳み式のヒンジ７とを含み、前記固定プラグ１は充電穴プラグの逆方向の構造であり、前記固定プラグ１の中央部は制限ホルダ２の上面の中央に固定的に取り付けられ、前記制限ホルダ２は円弧状の凹溝構造の形に配置され、前記圧板６は折り畳み式のヒンジ７で制限ホルダ２の底面に固定的に取り付けられ、前記圧板６の裏面の左側寄りに左手の係止用溝４が設けられ、前記圧板６の右側寄りに右手の係止用溝３が設けられ、前記立板５は圧板６の前面に固定されて、圧板６と一体構造になり、前記立板５の上面と前面との接続部に円弧面取りが設けられる。
【００１４】
実施例において、携帯電話の放置台８をさらに含み、前記携帯電話の放置台８の上面に長方形のボス８１が設けられ、前記携帯電話の放置台８はＬ字状の構造であり、前記携帯電話の放置台８に、前記携帯電話の放置台８に位置決めピン孔８２が設けられ、前記固定プラグ１はピン構造であり、且つ携帯電話の放置台８の位置決めピン孔８２に位置決めして取り付けられ、前記携帯電話の放置台８に第１の凹溝８３と第２の凹溝８４が設けられる。
【００１５】
実施例において、第１の凹溝８３及び第２の凹溝８４は、いずれも長方形の構造であり、且つ第１の凹溝８３と第２の凹溝８４とは連通している。
【００１６】
実施例において、携帯電話の放置台８と圧板６はプラスチック材料で製作されてなる。
【００１７】
本考案の携帯電話保護フィルムの貼り付け装置の具体的な実施形態は、図１、図２及び図３に示すように、ガラスフィルムを圧板６の裏面に取り付け、固定プラグ１を充電穴と同じ形状に製作し、このとき固定プラグ１を携帯電話の充電インタフェースに位置決めして挿入すると同時に、制限ホルダ８の上面における円弧状の凹面が携帯電話の底面に係止され、続いて、立板５を手に持って圧板６を回転させて、圧板６の裏面を上に向かせ、次に、ガラスフィルムにおける裏板を引き剥がして、立板５を手に持って圧板６を回転させて、圧板６の裏面におけるガラスフィルムを携帯電話の画面に取り付け、ガラスフィルムを軽く押してから、ガラスフィルムにおける上部保護フィルムを引き剥がすが、このとき、ガラスフィルムにおける上部保護フィルムの上端がガラスフィルムから離れ、右手の係止用溝３と左手の係止用溝４を介して圧板６を移動させて、圧板６をガラスフィルムから離れ、携帯電話の充電インタフェースから固定プラグ１を引き抜けばよい。
【００１８】
本考案の携帯電話保護フィルムの貼り付け装置の別の具体的な実施形態は、図４及び図５に示すように、ガラスフィルムを携帯電話の放置台８における第１の凹溝８３に位置決めして取り付けるが、第２の凹溝８４は、主にガラスフィルムの出し入れ作業を容易にするために用いられ、サイズの異なるガラスフィルムに対してサイズの異なる第１の凹溝８３を対応させ、続いて、立板５を手に持って圧板６を回転させて、圧板６の裏面を上に向かせ、次に、ガラスフィルムを圧板６の裏面に取り付けてから、ガラスフィルムにおける裏板を引き剥がして、立板５を手に持って圧板６を回転させて、圧板６の裏面におけるガラスフィルムを携帯電話の画面に取り付け、ガラスフィルムを軽く押してから、ガラスフィルムにおける上部保護フィルムを引き剥がすが、このとき、ガラスフィルムにおける上部保護フィルムが圧板６から離れ、右手の係止用溝３と左手の係止用溝４を介して圧板６を移動させて、圧板６をガラスフィルムから離れることで携帯電話のガラスフィルムのフィルムの貼り付け作業が完了する。
【００１９】
以上は本考案の好ましい実施形態に過ぎず、本考案の保護範囲は上記実施例に限定されず、本考案の思想に属する技術的解決手段はすべて本考案の保護範囲に属する。なお、当業者であれば、本考案の原理から逸脱することなく、行われたいくつかの改良と修正は、本考案の保護範囲と見なされるべきである。
【符号の説明】
【００２０】
固定プラグ１、制限ホルダ２、右手の係止用溝３、左手の係止用溝４、立板５、圧板６、折り畳み式のヒンジ７、携帯電話の放置台８、長方形のボス８１、位置決めピン孔８２、第１の凹溝８３、第２の凹溝８４。
【図１】
0003225407.tif 000003
【図２】
0003225407.tif 000004
【図３】
0003225407.tif 000005
【図４】
0003225407.tif 000006
【図５】
0003225407.tif 000007
【図６】
0003225407.tif 000008